【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
サービス提供中の無線基地局（５０S）および候補無線基地局（５０C）を備える通信システム（１０）を動作させる方法であって、前記サービス提供中の無線基地局（５０S）は、無線移動局（３０）が測定レポートを提供する無線基地局であり、前記サービス提供中の無線基地局（５０S）と前記候補無線基地局（５０C）は、周波数および無線アクセス技術の少なくとも一方が異なり、
前記サービス提供中の無線基地局（５０S）が、前記移動局（３０）に前記候補無線基地局（５０C）からブロードキャストされる情報の取得を許可する工程と、
前記移動局（３０）が、（ａ）少なくとも１つの読み取りギャップ中に前記候補無線基地局（５０C）から第１のタイプの情報を取得する工程と、
（ｂ）前記第１のタイプの情報を使用して、前記候補無線基地局（５０C）からブロードキャストされる第２のタイプの情報をどのように取得するかを決定する工程と、
（ｃ）前記移動局（３０）が、少なくとも別の１つの読み取りギャップ中に前記候補無線基地局（５０C）から前記第２のタイプの情報を取得する工程と
含み、
前記読み取りギャップは、前記移動局（３０）が前記サービス提供中の無線基地局（５０S）から情報を受信しない期間であることを特徴とする方法。
【請求項２】
前記情報は、前記候補無線基地局（５０C）の同期情報であることを特徴とする請求項１に記載の方法。
【請求項３】
前記情報は、前記候補無線基地局（５０C）のローカル識別情報であることを特徴とする請求項１に記載の方法。
【請求項４】
前記サービス提供中の無線基地局（５０S）が、前記移動局（３０）に対して、前記移動局（３０）が前記候補無線基地局（５０C）から前記情報を取得できる所定の期間を有する送信ギャップを発出する工程と、
前記移動局（３０）が、前記送信ギャップ中に前記候補無線基地局（５０C）から前記情報を取得する工程と
をさらに含むことを特徴とする請求項１に記載の方法。
【請求項５】
前記移動局（３０）が、前記サービス提供中の無線基地局（５０S）に前記移動局（３０）が前記少なくとも１つの読み取りギャップを発出すると通知する工程と、それに応えて、
前記サービス提供中の無線基地局（５０S）が、前記移動局（３０）に対する前記送信ギャップを発出する工程と
をさらに含むことを特徴とする請求項４に記載の方法。
【請求項６】
前記サービス提供中の無線基地局（５０S）が、送信ギャップを開始し、前記移動局（３０）に前記候補無線基地局（５０C）からブロードキャストされる情報の取得を許可する工程と、
前記サービス提供中の無線基地局（５０S）が、前記移動局（３０）から前記情報を受信すると直ぐに、前記送信ギャップを終了する工程と
をさらに含むことを特徴とする請求項１に記載の方法。
【請求項７】
前記移動局（３０）が、前記サービス提供中の無線基地局（５０S）に前記送信ギャップを発出するように要求する工程と、
前記移動局（３０）が、前記情報を取得するために読み取りギャップを開始する工程と
をさらに含むことを特徴とする請求項６に記載の方法。
【請求項８】
前記サービス提供中の無線基地局（５０S）が、前記移動局（３０）に固定長の周期的送信ギャップを発出し、それによって、前記送信ギャップの少なくとも１つを、前記候補無線基地局（５０C）からブロードキャストされる前記情報を中に有する、前記候補無線基地局（５０C）のブロードキャストフレームに位置合わせする工程と、
前記移動局（３０）が、前記周期的送信ギャップの１つの間に前記情報を取得する工程と
をさらに含むことを特徴とする請求項１に記載の方法。
【請求項９】
前記移動局（３０）が、前記候補無線基地局（５０C）から前記情報を取得するために前記少なくとも１つの読み取りギャップを発出する工程と、前記読み取りギャップ中は前記サービス提供中の無線基地局（５０S）からの送信を無視する工程と
をさらに含むことを特徴とする請求項１に記載の方法。
【請求項１０】
前記移動局（３０）が、反復要求手順を用いて前記少なくとも１つの読み取りギャップ中に失われたフレームを回復する工程をさらに含むことを特徴とする請求項９に記載の方法。
【請求項１１】
前記サービス提供中の無線基地局（５０S）が、前記移動局（３０）からの所定の報告の不受信は前記移動局（３０）が前記少なくとも１つの読み取りギャップを発出していることを示すと理解する工程と、それに応じて、前記サービス提供中の無線基地局（５０S）が、前記サービス提供中の無線基地局（５０S）と前記移動局（３０）との通信を変更する工程とをさらに含むことを特徴とする請求項１に記載の方法。
【請求項１２】
前記サービス提供中の無線基地局（５０S）が、前記移動局（３０）への送信の優先順位を下げることによって、前記サービス提供中の無線基地局（５０S）と前記移動局（３０）との通信を変更する工程をさらに含むことを特徴とする請求項１１に記載の方法。
【請求項１３】
前記サービス提供中の無線基地局（５０S）が、前記移動局（３０）へのスケジューリングリソースの割り当てを中止する工程をさらに含むことを特徴とする請求項１１に記載の方法。
【請求項１４】
前記サービス提供中の無線基地局（５０S）が、隣接関係リストハンドラに前記情報を提供する工程をさらに含むことを特徴とする請求項１に記載の方法。
【請求項１５】
前記候補無線基地局（５０C）はＧＥＲＡＮ無線アクセスネットワークに属し、前記サービス提供中の無線基地局（５０S）は別の無線アクセス技術に属することを特徴とする請求項１に記載の方法。
【請求項１６】
前記候補無線基地局（５０C）はＵＴＲＡＮ無線アクセスネットワークに属し、前記サービス提供中の無線基地局（５０S）は別の無線アクセス技術に属することを特徴とする請求項１に記載の方法。
【請求項１７】
前記サービス提供中の無線基地局（５０S）が、前記移動局（３０）に前記候補無線基地局（５０C）からブロードキャストされる前記第１のタイプの情報を取得するため、および前記候補無線基地局（５０C）からブロードキャストされる前記第２のタイプの情報を取得するために、動作（ａ）の実行を許可する工程をさらに含むことを特徴とする請求項１に記載の方法。
【請求項１８】
前記第１のタイプの情報は、前記候補無線基地局（５０C）の同期情報および前記候補無線基地局（５０C）のローカル識別情報の１つ以上であることを特徴とする請求項１に記載の方法。
【請求項１９】
前記第１のタイプの情報は、前記候補無線基地局（５０C）のセルグローバルＩＤ（ＣＧＩ）を突き止めるための情報であることを特徴とする請求項１に記載の方法。
【請求項２０】
動作（ａ）は、請求項６乃至請求項１１の１項の動作を用いて実行され、
動作（ｄ）は、請求項６乃至請求項１１の別の１項の動作を用いて実行される
ことを特徴とする請求項１に記載の方法。
【請求項２１】
サービス提供中の無線基地局（５０S）および候補無線基地局（５０C）を備える通信システム（１０）における無線動作用に構成された移動局（３０）であって、
前記無線移動局（３０）と前記サービス提供中の無線基地局（５０S）との間、および前記移動局（３０）と前記候補無線基地局（５０C）との間の無線通信を実施するように構成された１つ以上のトランシーバ（３３）を備え、
移動局測定通信機能（４２）が少なくとも１つの読み取りギャップ中に前記候補無線基地局（５０C）から第１のタイプの情報を取得し、少なくとも別の１つの読み取りギャップ中に前記候補無線基地局（５０C）から第２のタイプの情報を取得するように構成され、
前記第２のタイプの情報は、前記候補無線基地局（５０C）のセルグローバルＩＤ（ＣＧＩ）であり、各読み取りギャップは、前記移動局（３０）が前記サービス提供中の無線基地局（５０S）から情報を受信しない期間である
ことを特徴とする移動局（３０）。
【請求項２２】
前記情報は、前記候補無線基地局（５０C）の同期情報であることを特徴とする請求項２１に記載の移動局。
【請求項２３】
前記情報は、前記候補無線基地局（５０C）のローカル識別情報であることを特徴とする請求項２１に記載の移動局。
【請求項２４】
前記第１のタイプの情報は、前記候補無線基地局（５０C）のセルグローバルＩＤ（ＣＧＩ）を突き止めるための情報であることを特徴とする請求項２１に記載の移動局。
【請求項２５】
サービス提供中の基地局としての機能を果たし、移動局（３０）との無線通信のために構成された通信システム（１０）の基地局（５０）であって、
前記移動局（３０）と前記基地局との間の無線通信を実施するように構成されたトランシーバ（３８）を備え、
基地局測定通信機能（５２）が、前記移動局（３０）に少なくとも１つの読み取りギャップ中の候補無線基地局（５０C）からの第１のタイプの情報の取得を許可し、少なくとも別の１つの読み取りギャップ中の前記候補無線基地局（５０C）からの第２のタイプの情報の取得を許可するように構成され、
前記第２のタイプの情報は、前記候補無線基地局（５０C）のセルグローバルＩＤ（ＣＧＩ）であり、各読み取りギャップは、前記移動局（３０）が前記サービス提供中の無線基地局（５０S）から情報を受信しない期間であることを特徴とする基地局（５０）。
【請求項２６】
前記第１のタイプの情報は、前記候補無線基地局（５０C）のセルグローバルＩＤ（ＣＧＩ）を特定するための情報であることを特徴とする請求項２５に記載の基地局。